(57)【要約】【課題】パソコンで再生することができないように規格外のＣＤとしたコピーコントロールＣＤでも、ディスクを認識できない状態、或いは長時間ミュート再生を続ける状態を無くし、安定して再生することができるＣＤ再生方法及び装置とする。【解決手段】ＣＤの管理データを記録しているＴＯＣにおける内側の第１領域を読み取り、コントロールビットがデータであるとき、第１トラックをサーチして第１トラックが一般データであることを認識し、また第１トラックの開始アドレスを取得する。第１トラックの開始アドレスからＴＯＣ外周迄のトラック本数を算出し、ＴＯＣ外周の第２領域に記録しているＣＤの管理データからＣＤにオーディオが記録されていることを認識し、前記認識により再生するＣＤがデータとオーディオが混在するMixedＣＤであると判別し、その後トラックのコントロールビットがオーディオのトラックをサーチして再生を行う。【選択図】図１
2007128618.tif 000002
【特許請求の範囲】
【請求項１】
ＣＤの管理データを記録しているＴＯＣの内側領域を読み取り、
コントロールビットがデータであるとき、前記ＴＯＣの外周以降に記録されている第１トラックをサーチして、第１トラックがデータであることを認識するとともに第１トラックの開始アドレスを読み取り、
前記第１トラックの開始アドレスからＴＯＣ外周領域までのトラック本数を算出して、ＴＯＣ外周領域に記録されているＣＤの管理データを読み取り、ＣＤにオーディオが記録されていることを認識し、
前記ＴＯＣにオーディオに関するデータが存在し、第１トラックがデータであることにより、再生するＣＤの種類がデータとオーディオが混在するＣＤであると判別し、
その後トラックのコントロールビットがオーディオのトラックをサーチして再生を行うことを特徴とするＣＤ再生方法。
【請求項２】
ＣＤの管理データを記録しているＴＯＣの内側領域を読み取る手段と、
コントロールビットがデータであるとき、前記ＴＯＣの外周以降に記録されている第１トラックをサーチして第１トラックがデータであることを認識するとともに第１トラックの開始アドレスを読み取る手段と、
前記第１トラックの開始アドレスからＴＯＣ外周領域までのトラック本数を算出して、ＴＯＣ外周領域に記録されているＣＤの管理データを読み取り、ＣＤにオーディオが記録されていることを認識する手段と、
前記ＴＯＣにオーディオに関するデータが存在し、第１トラックがデータであることにより、再生するＣＤの種類がデータとオーディオが混在するＣＤであると判別する手段と、
トラックのコントロールビットがオーディオのトラックをサーチして再生を行う読み取り位置制御手段とを備えたことを特徴とするＣＤ再生装置。
【請求項３】
ＣＤの管理データが記録されているＴＯＣの内側領域と外側領域、及び該ＴＯＣの外周以降に記録されている第１トラック、並びにそれ以降に記録されているトラックの各管理データを読み取る管理データ読み取り手段と、
ＴＯＣの内側領域及び外側領域、並びに第１トラックのデータの種類を示すコントロールビットを認識するコントロールビット認識手段と、
第１トラックのデータにより第１トラックの開始アドレスを読み取る第１トラック開始アドレス読み取り手段と、
前記読み取った第１トラックの開始アドレスから前記ＴＯＣの外周領域までのトラック本数を算出するトラック本数算出手段と、
前記第１トラックの開始アドレスから前記算出したトラック本数より内側に位置するＴＯＣの外側領域を読み取って、コントロールビットがオーディオであることの認識と、第１トラックのコントロールビットがデータであることの認識とにより、再生するＣＤが一般データとオーディオとが混在して記録しているミックスＣＤであることを判別するＣＤ種類判別手段と、
前記ＴＯＣの内側領域、第１トラック、ＴＯＣの外側領域の順に読み取り位置を制御し、その後オーディオが記録されているトラックをサーチする読み取り位置制御手段とを備えることを特徴とするＣＤ再生装置。
【発明の詳細な説明】
【技術分野】
【０００１】
本発明はＣＤを再生するＣＤプレーヤに関し、特にＣＤのコピーを禁止するデータが記録されたコピーコントロールＣＤを円滑に再生することができるようにしたＣＤ再生方法、及びその再生方法を実施する装置としてのＣＤプレーヤに関する。
【背景技術】
【０００２】
音楽データを記録して販売する記録メディアとしてＣＤは無くてはならないものであり、ほとんどの曲はＣＤとして販売される。一方では、特にパソコンの普及と発達により、ＣＤを記録媒体とすることが多く、このＣＤに対してパソコンで作製、或いは他から取り込んだ各種データをＣＤ−ＲやＣＤ−ＲＷに記録することが行われるようになっている。特に、市販の音楽ＣＤをパソコンのＣＤドライブに装填し、そのデータをＨＤＤにコピーすることにより、その後ＣＤ−Ｒに記録することによって、市販のオーディオデータと全く同一のＣＤが製作できるようになり、このＣＤを利用者個人が使用するほか、他の人のためにも製作し、特に悪質な場合には販売することも行われるようになる。
【０００３】
このようなことは、音楽ＣＤを製造し、販売する業者にとって死活問題であり、したがって市販するＣＤが複製することが出来ないようにする必要が生じ、その対策として市販するＣＤに各種の手段でコピー制御を行い、特にパソコンではコピーすることができないようにしたコピーコントロールＣＤ（ＣＣＣＤ）が市販されるようになっている。
【０００４】
コピーコントロールの手法としては、比較的広く採用されている「ＣＤＳ」方式のほか、「ｋｅｙ２ａｕｄｉｏ」や「ＳａｆｅＡｕｄｉｏ」等の方式があり、「ＣＤＳ」方式についても種々のバージョンアップがなされている。これらはいずれもパソコンでの読み取りを妨害する目的で、意図的に矛盾するデータを入れたりするなど、記録データを改変しているため、本来のＣＤ規格（レッドブック）とは異なるデータ構成となっている。
【０００５】
そのため、上記のようなコピーコントロールのデータ処理がなされたＣＤは、パソコンでの再生ができないばかりでなく、必ずしも全てのＣＤプレーヤで再生できるとは限らず、例えば音飛び防止機能を備えているポータブルＣＤプレーヤや、ＣＤ−Ｒ／ＲＷの再生に対応した音楽ＣＤプレーヤ、ＭＰ３再生のできる音楽ＣＤプレーヤ、ハードディスクプレーヤ等では再生不能或いは再生不調を生じ、時にはプレーヤを破損することもある。このようなプレーヤは特にカーオーディオでも問題となり、カーオーディオには振動対策として音飛び防止機能は必須であり、各種オーディオメディアに対応するためＣＤ−Ｒ／ＲＷの再生を可能とし、ＭＰ３を再生する機能を備え、近年はカーナビゲーションのハードディスク化に伴ってハードディスクに蓄積したオーディオデータを再生することが行われるようになっている。
【０００６】
前記のように、コピーコントロールＣＤはこれを再生できないＣＤプレーヤも多く、このようなＣＤを買った利用者は自分のＣＤプレーヤで再生することができないことがあり、そのＣＤは原則として返却できないこともあって、極めて不都合なこととなるため、何らかの手段でコピーコントロールＣＤを円滑に再生することができる手法の開発が望まれている。
【０００７】
上記のようなコピーコントロールＣＤのデータ記録形式は、例えば図３に示すような形式になっている。図３の例においては（ａ）に示すように、ＣＤ１の中心開口からデータの記録されない領域を経てデータ記録領域となり、このＣＤのデータを最初に読み取るリードインエリアが存在し、ここはＣＤの管理データが記録されるＴＯＣ領域となっている。
【０００８】
特にコピーコントロールＣＤにおいては、このＴＯＣ領域を図１（ｂ）に示すように２分し、内側にはコントロールビットがデータ「０１００」のＴＯＣ第１領域（１）と、  コントロールビットがオーディオ「００００」のＴＯＣ第２領域（２）が存在する。また、第２ＴＯＣに続くデータ領域は、最初のトラックについてはコントロールビットがデータ「０１００」の第１トラック領域（Ｔｒ．１）となっており、このデータ領域の実際のデータは異常情報を記録している。これに続く第２トラックについてはコントロールビットがオーディオ「００００」の第２トラック領域（Ｔｒ．２）となっており、以降は同様のオーディオデータが記録されることとなる。
【０００９】
このようなデータ形式のコピーコントロールＣＤにおいて、通常のＣＤプレーヤにおいてこれを再生するときには、最初にこのＣＤの管理情報等が記録されているＴＯＣ領域を読みに行くこととなるが、このときＴＯＣ第１領域（１）をリードするか、ＴＯＣ第２領域（２）をリードするかは、プレーヤにおいてＣＤの内周側に設けたリミットスイッチにより物理的に決まり、それはパソコンでも、オーディオプレーヤでも同様である。一般的には、リードインエリアにおいて確実に内周である開始部分近辺を最初に読みに行くように設定されている。したがって、ＴＯＣ第１領域（１）とＴＯＣ第２領域（２）のうち、内側に存在するＴＯＣ第１領域（１）を最初にリードする可能性が大きい。
【００１０】
現在用いられているＣＤプレーヤでは、個々のソフト処理により読み取ったデータの判断、その後の処理が種々異なるが、ＣＤ再生処理の態様としては図４〜図６に示すように、パターンＡ、Ｂ、Ｃの３種類が考えられる。即ち、図４に示す第１のパターンＡは、最初に前記のとおりＴＯＣ内周のＴＯＣ第１領域（１）の読み取りを行い（ステップＳ２１）、ここに記録されているデータは、コントロールビットが一般データを示す「０１００」であるか否かを判別する（ステップＳ２２）。ここでコントロールビットが「０１００」ではないと判別したときは、オーディオ「００００」であるので、そのときは通常のＣＤの再生処理を行う（ステップＳ２５）。また、ステップＳ２２においてコントロールビットがデータ「０１００」であると判別したときには、現在再生中のＣＤはデータを記録したＣＤ−ＲＯＭであると判別し（ステップＳ２３）、このプレーヤでは再生できないものとしてＣＤの再生処理を停止する（ステップＳ２４）。それにより、シングルプレーヤの時にはこのプレーヤの再生を停止し、ディスクチェンジャの時には次のディスクにチェンジ作動を行う。
【００１１】
図５に示すパターンＢの場合は、最初前記パターンＡと同様に、ＴＯＣ内周のＴＯＣ第１領域（１）の読み取りを行い（ステップＳ３１）、ここに記録されているデータは、コントロールビットが一般データを示す「０１００」であるか否かを判別する（ステップＳ２２）。ここでコントロールビットが「０１００」ではないと判別したときは、前記と同様にオーディオ「００００」であるので、そのときは通常のＣＤの再生処理を行う（ステップＳ３６）。また、ステップＳ３２においてコントロールビットがデータ「０１００」であると判別したときには、ここで読み取ったデータを無視して第１トラック（Ｔｒ．１）をサーチする（ステップＳ３３）。次いで、第１トラック（Ｔｒ．１）のデータがこのＣＤにおいては前記図３に示すように「０１００」であることにより、現在再生中のＣＤはＣＤ−ＲＯＭであると判別し（ステップＳ３４）、このプレーヤでは再生できないものとしてＣＤの再生処理を停止する（ステップＳ３５）。それにより前記と同様に、シングルプレーヤの時にはこのプレーヤの再生を停止し、ディスクチェンジャの時には次のディスクにチェンジ作動を行う。
【００１２】
図６に示すパターンＣの場合は、最初前記各パターンと同様に、ＴＯＣ内周のＴＯＣ第１領域（１）の読み取りを行い（ステップＳ４１）、ここに記録されているデータは、コントロールビットが一般データであることを示す「０１００」であるか否かを判別する（ステップＳ４２）。ここでコントロールビットが「０１００」ではないと判別したときは、オーディオ「００００」であるので、そのときは通常のＣＤの再生処理を行う（ステップＳ３６）点も前記各パターンと同様である。また、ステップＳ４２においてコントロールビットがデータ「０１００」であると判別したときには、ここで読み取ったデータを無視して第１トラック（Ｔｒ．１）をサーチする（ステップＳ３３）。次いで、第１トラック（Ｔｒ．１）のデータが「０１００」であることによりこのままでは通常の再生ができないことが明らかであるので、この第１トラックをミュートして再生を行い、その後この第１トラックのミュート再生が終了すると、次の第２トラックからは通常のオーディオデータが記録されているので、それ以降はミュートを解除して再生を行う。
【００１３】
なお、前記のようなコピーコントロールＣＤ等の規格外ディスクにおいて、データを読み出すことができるようにした技術は特開２００５−３８４８８号公報に記載され、また挿入したＣＤがコピーコントロールＣＤであるときにはこれを放置し、装置が故障であるという利用者の誤認を防止するようにした技術は特開２００５−４８３８号公報に記載されている。
【特許文献１】特開２００５−３８４８８号公報
【特許文献１】特開２００５−４８３８号公報
【発明の開示】
【発明が解決しようとする課題】
【００１４】
本来コピーコントロールＣＤは、パソコン上では再生できないようにし、通常のＣＤプレーヤでは問題なく再生できるようになっていなければならない。つまり、コピーコントロールＣＤをパソコンで読ませないようにしてＣＤ−Ｒなどのメディア媒体へのコピーを禁止するものであり、しかしオーディオプレーヤについては、スムーズに再生することが一般の利用者に望まれる。
【００１５】
しかしながら上記のようなディスク構成となっていたときには、パソコンでは（１）→（３）とリードした後、（３）のデータは異常情報となっているため再生は出来ず、作動が途中で停止したまま次の作動が行われないハングアップ状態となるか、或いはこのＣＤは異常ディスクと判断することとなる。
【００１６】
よって、コピーコントロールＣＤの効果がここに存在するが、一方、通常のオーディオプレーヤの場合は、上記パターンＡ〜Ｃの作動フローのように、ディスクを認識出来ないか、あるいは第１トラックＴｒ．１のミュート再生を続けてしまい、利用者が気付かないままＴｒ．１終了までミュート再生を続けてしまう、という問題があった。
【００１７】
したがって本発明は、パソコンで再生することができないように規格外のＣＤとしたコピーコントロールＣＤでも、ディスクを認識できない状態、或いは長時間ミュート再生を続ける状態を無くし、安定して再生することができるようにしたＣＤの再生方法、及びその方法を実施する装置としてのＣＤプレーヤを提供することを主たる目的とする。
【課題を解決するための手段】
【００１８】
本発明に係るＣＤ再生方法は前記課題を解決するため、ＣＤの管理データを記録しているＴＯＣの内側領域を読み取り、コントロールビットがデータであるとき、前記ＴＯＣの外周以降に記録されている第１トラックをサーチして、第１トラックがデータであることを認識するとともに第１トラックの開始アドレスを読み取り、前記第１トラックの開始アドレスからＴＯＣ外周領域までのトラック本数を算出して、ＴＯＣ外周領域に記録されているＣＤの管理データを読み取り、ＣＤにオーディオが記録されていることを認識し、前記ＴＯＣにオーディオに関するデータが存在し、第１トラックがデータであることにより、再生するＣＤの種類がデータとオーディオが混在するＣＤであると判別し、その後トラックのコントロールビットがオーディオのトラックをサーチして再生を行うことを特徴とする。
【００１９】
また、本発明に係るＣＤ再生装置は前記課題を解決するため、ＣＤの管理データを記録しているＴＯＣの内側領域を読み取る手段と、コントロールビットがデータであるとき、前記ＴＯＣの外周以降に記録されている第１トラックをサーチして第１トラックがデータであることを認識するとともに第１トラックの開始アドレスを読み取る手段と、前記第１トラックの開始アドレスからＴＯＣ外周領域までのトラック本数を算出して、ＴＯＣ外周領域に記録されているＣＤの管理データを読み取り、ＣＤにオーディオが記録されていることを認識する手段と、前記ＴＯＣにオーディオに関するデータが存在し、第１トラックがデータであることにより、再生するＣＤの種類がデータとオーディオが混在するＣＤであると判別する手段と、トラックのコントロールビットがオーディオのトラックをサーチして再生を行う読み取り位置制御手段とを備えたことを特徴とする。
【００２０】
また、本発明に係る他のＣＤ再生装置は、ＣＤの管理データが記録されているＴＯＣの内側領域と外側領域、及び該ＴＯＣの外周以降に記録されている第１トラック、並びにそれ以降に記録されているトラックの各管理データを読み取る管理データ読み取り手段と、ＴＯＣの内側領域及び外側領域、並びに第１トラックのデータの種類を示すコントロールビットを認識するコントロールビット認識手段と、第１トラックのデータにより第１トラックの開始アドレスを読み取る第１トラック開始アドレス読み取り手段と、前記読み取った第１トラックの開始アドレスから前記ＴＯＣの外周領域までのトラック本数を算出するトラック本数算出手段と、前記第１トラックの開始アドレスから前記算出したトラック本数より内側に位置するＴＯＣの外側領域を読み取って、コントロールビットがオーディオであることの認識と、第１トラックのコントロールビットがデータであることの認識とにより、再生するＣＤが一般データとオーディオとが混在して記録しているミックスＣＤであることを判別するＣＤ種別判別手段と、前記ＴＯＣの内側領域、第１トラック、ＴＯＣの外側領域の順に読み取り位置を制御し、その後オーディオが記録されているトラックをサーチする読み取り位置制御手段とを備えることを特徴とする。
【発明の効果】
【００２１】
本発明は上記のように構成したので、パソコンで再生することができないように規格外のＣＤとしたコピーコントロールＣＤでも、ディスクを認識できない状態、或いは長時間ミュート再生を続ける状態を無くし、安定して再生することができるようになる。
【発明を実施するための最良の形態】
【００２２】
本発明はパソコンで再生することができないように規格外のＣＤとしたコピーコントロールＣＤでも、ディスクを認識できない状態、或いは長時間ミュート再生を続ける状態を無くし、安定して再生することができるようにするという課題を、ＣＤの管理データを記録しているＴＯＣの内側領域を読み取り、コントロールビットがデータであるとき、前記ＴＯＣの外周以降に記録されている第１トラックをサーチして、第１トラックがデータであることを認識するとともに第１トラックの開始アドレスを読み取り、前記第１トラックの開始アドレスからＴＯＣ外周領域までのトラック本数を算出して、ＴＯＣ外周領域に記録されているＣＤの管理データを読み取り、ＣＤにオーディオが記録されていることを認識し、前記ＴＯＣにオーディオに関するデータが存在し、第１トラックがデータであることにより、再生するＣＤの種類がデータとオーディオが混在するＣＤであると判別し、その後トラックのコントロールビットがオーディオのトラックをサーチして再生を行うＣＤ再生方法によって実現し、またその方法を実施する装置によって実現する。
【実施例１】
【００２３】
本発明の実施例を図１の機能ブロック図、及び図２の作動フロー図等にしたがって説明する。なお図１の各機能を行う機能部は、それぞれ各機能を行う手段ということもできる。図１において、ＣＤ単体を再生するシングルプレーヤ、或いはディスクチェンジャにおいて選択したＣＤを再生するディスクチェンジャ式のプレーヤ等のＣＤプレーヤ２にＣＤ１がかけられ、スピンドルモータ３で回転駆動され、ピックアップ４によってディスクに記録されたデータが読み出される。読み出されたデータは、ＲＦアンプを介してデータ分離部６でオーディオデータ７と管理データ８に分離し、オーディオデータ７は音声信号処理９を行って出力する。
【００２４】
データ分離部６で分離された各種の管理データ８は、システムコントローラ１０を介してＣＤ再生制御部１１における管理データ１２として取り込まれる。ここに取り込まれる管理データ１２は、少なくともＴＯＣデータ１３と、トラック毎に記録されている管理データであるトラック管理データ１４を読み込む。
【００２５】
コントロールビット認識部１５ではＴＯＣデータ１３及びトラック管理データ１４において、一般的なデータに対するコントロールビットである「０１００」が記録されているか、或いはオーディオデータに対するコントロールビットである「００００」が記録されているかを認識する。
【００２６】
第１トラック（Ｔｒ．１）開始アドレス読取部１６では、後述する処理のために第１トラックにアクセスしたとき、トラック管理データ１４に含まれるデータから、その第１トラックの開始アドレスを読み取る。トラック本数算出部１７では、前記第１トラック開始アドレス読取部１６で第１トラックの開始アドレスを読み取ったとき、その開始アドレスよりもＣＤの内側に記録されているＴＯＣの最外周との間のトラック本数を、管理データ１２により算出する。
【００２７】
ＣＤ種類判別部１８では、前記コントロールビット認識部１５において、管理データ１２のＴＯＣデータ１３によってオーディオ「００００」であることを認識し、更にトラック管理データ１４によって一般のデータ「０１００」であることを認識したとき、現在再生しようとしているＣＤは、一般データとオーディオを記録したＣＤである、いわゆるＭｉｘｅｄＣＤであると判断して次の処理を行うように作動する。
【００２８】
読み取り位置制御部１９においては、所定のソフトを備えたシステムコントローラの制御によって、ピックアップ４で読み取る位置を制御するものであり、通常再生時の読み取り位置の制御の他、図２に示す作動フローにしたがって順に作動するとき、後述するようにＴＯＣ第１領域（１）の読み取り、第１トラックＴｒ．１の読み取り、ＴＯＣ第２領域（２）の読み取り、オーディオトラックの読み取り動作等を順に行う。
【００２９】
上記のような構成からなるＣＤプレーヤにおいて、本発明は例えば図２に示す作動フローにしたがって作動させることができる。即ち図２に示すＣＤ再生処理においては、最初に図３のコピーコントロールＣＤのデータ構成図に示すように、ＴＯＣ内周のＴＯＣ第１領域（１）を読み取る（ステップＳ１）。次いでこのＴＯＣ第１領域（１）におけるコントロールビットは、一般データとしての「０１００」であるか否かを判別する（ステップＳ２）。ここでデータ「０１００」ではないと判別したときには、コントロールビットはオーディオデータを示す「００００」であるので、通常のＣＤの再生処理を行う（ステップＳ１２）。
【００３０】
ステップＳ２において、コントロールビットがデータ「０１００」であると判別したときには、この情報を無視して第１トラックＴｒ．１をサーチし、このトラックのデータを読み取る（ステップＳ３）。このＣＤは前記のようなコピーコントロールＣＤであるので、第１トラックＴｒ．１部分はパソコンによる再生を行わせないようにする異常データが記録されており、したがって前記のようなコピーコントロールＣＤでは、ステップＳ３では第１トラックＴｒ．１がデータ「０１００」であることを読み取ることとなり、したがってステップＳ４でこれを認識する。
【００３１】
次いで、第１トラックＴｒ．１のデータの読み取りによって、第１トラックＴｒ．１の開始アドレスを読み取る（ステップＳ５）。その後、読み取った開始アドレス、即ち図３の第１トラックＴｒ．１最内周位置からその内側に位置するＴＯＣの外周位置、即ちＴＯＣ第２領域（２）の外周位置までのトラック本数を算出する（ステップＳ６）。その後、前記のようにして算出したトラック本数に適宜の数を加えたトラック本数分更に内側にピックアップを移動することにより、ＴＯＣ外周に位置するＴＯＣ第２領域（２）をサーチしてここに記録されているデータを読み取り（ステップＳ７）、このＴＯＣ第２領域（２）がオーディオ「００００」であることを認識する（ステップＳ８）。
【００３２】
上記のような作動を行うことによって、ＴＯＣがオーディオ「００００」であり、第１トラックＴｒ．１がデータ「０１００」であることを認識して、現在このＣＤプレーヤにかけられているＣＤは、パソコン等で通常作製される１つのＣＤに各種一般データとオーディオとが記録されているＭｉｘｅｄＣＤであると判断する（ステップＳ９）。この判断によってこのＣＤプレーヤにおいては、通常再生されるＭｉｘｅｄＣＤを再生する作動を行い、したがってコントロールビットがオーディオ「００００」であるトラックまでサーチを行う（ステップＳ１０）。それにより、コントロールビットがオーディオ「００００」のトラックから順に再生することができる（ステップＳ１１）。
【００３３】
上記のような作動を行うことにより、パソコンで再生することができないように規格外のＣＤとしたコピーコントロールＣＤでも、ディスクを認識できない状態、或いは長時間ミュート再生を続ける状態を無くし、安定して再生することができるようになる。また、上記の実施例は１つの態様であり、同様の趣旨により種々の態様で実施することができる。
【産業上の利用可能性】
【００３４】
本発明は一般のＣＤプレーヤに広く用いることができるが、特にコピーコントロールＣＤの安定した再生が困難であった車両用ＣＤプレーヤに対して有効に利用することができる。
【図面の簡単な説明】
【００３５】
【図１】本発明の実施例の機能ブロック図である。
【図２】同実施例の作動フロー図である。
【図３】コピーコントロールＣＤのデータ記録態様を示す図である。
【図４】従来のＣＤプレーヤでコピーコントロールＣＤを再生する処理パターンＡを示す図である。
【図５】同処理パターンＢを示す図である。
【図６】同処理パターンＣを示す図である。
【符号の説明】
【００３６】
１  ＣＤ
２  ＣＤプレーヤ
３  スピンドルモータ
４  ピックアップ
５  ＲＦアンプ
６  データ分離部
７  オーディオデータ
８  管理データ
９  音声信号処理
１０  システムコントローラ
１１  ＣＤ再生制御部
１２  管理データ
１３  ＴＯＣデータ
１４  トラック管理データ
１５  コントロールビット認識部
１６  第１トラック（Ｔｒ．１）開始アドレス読取部
１７  トラック本数算出部
１８  ＣＤ種類判別部
１９  読み取り位置制御部
【図１】
2007128618.tif 000003
【図２】
2007128618.tif 000004
【図３】
2007128618.tif 000005
【図４】
2007128618.tif 000006
【図５】
2007128618.tif 000007
【図６】
2007128618.tif 000008